(57)【要約】【課題】下水本管に小型マンホールが接続された排水配管構造、及びその排水配管方法を提供することを目的とする。【解決手段】排水配管構造１は、予め地中に埋設されている下水本管１０に、点検口３３を有する小型マンホール３０が配設されてなり、下水本管１０と、下水本管１０の管壁に貫通状に設けられた孔部１１に開口部２２が取り付けられている支管２０と、支管２０の管接続部２３から地上に向かって延設されている小型マンホール３０と、を具備し、支管２０は、下水本管１０における孔部１１周辺の外周面上に被着されるサドル部２１を備え、サドル部２１には孔部１１と連通する開口部２２が設けられており、開口部２２の周縁からは、小型マンホール３０の下端部を接続するための管接続部２３が差し出されている。【選択図】図１
2019099994.tif 000002
【特許請求の範囲】
【請求項１】
予め地中に埋設されている下水本管に、点検口を有する小型マンホールが配設されてなる排水配管構造であって、
前記下水本管と、
前記下水本管の管壁に貫通状に設けられた孔部に一端部が取り付けられている支管と、
前記支管の他端部から地上に向かって延設されている前記小型マンホールと、
を具備し、
前記支管は、前記下水本管における前記孔部周辺の外周面上に被着される前記一端部としてのサドル部を備え、前記サドル部には前記孔部と連通する開口部が設けられており、前記開口部の周縁からは、前記小型マンホールの下端部を接続するための前記他端部としての管接続部が差し出されている
ことを特徴とする排水配管構造。
【請求項２】
平面視で、前記下水本管の前記孔部の孔縁の少なくとも一部が、前記小型マンホールの点検口内に位置している
請求項１に記載の排水配管構造。
【請求項３】
前記下水本管の前記孔部の位置における当該下水本管の中心軸線と、前記小型マンホールの点検口における中心軸線とが交わらない 位置関係 にある
請求項１又は請求項２に記載の排水配管構造。
【請求項４】
前記小型マンホールには、当該小型マンホール内へ排水を導入する枝管が接続されている構成にあって、
前記小型マンホールにおける点検口の中心軸線が、前記下水本管における前記中心軸線を基準にして、前記枝管側に位置している
請求項３に記載の排水配管構造。
【請求項５】
予め地中に埋設されている下水本管に対して、点検口を有する小型マンホールを新規に配設する排水配管方法であって、
前記下水本管の管壁に孔部を貫通状に設ける工程と、
前記孔部に支管の一端部を取り付ける工程と、
前記支管の他端部に、地上に向かって延設されるように前記小型マンホールを接続する工程と、
を含み、
前記支管は、前記下水本管における前記孔部周辺の外周面上に被着される前記一端部としてのサドル部を備え、前記サドル部には前記孔部と連通する開口部が設けられており、前記開口部の周縁からは、前記小型マンホールの下端部を接続するための前記他端部としての管接続部が差し出されている
ことを特徴とする排水配管方法。
【請求項６】
平面視で、前記下水本管の前記孔部の孔縁の少なくとも一部を、前記小型マンホールの点検口内に位置させる
請求項５に記載の排水配管方法。
【請求項７】
前記支管の他端部に、前記小型マンホールを接続する工程にあって、
前記下水本管の前記孔部の位置における当該下水本管の中心軸線と、前記小型マンホールの点検口における中心軸線とが交わらない位置関係となるように前記小型マンホールを接続する
請求項５又は請求項６に記載の排水配管方法。
【請求項８】
小型マンホール内へ排水を導入する枝管を当該小型マンホールに接続する工程を含む構成にあって、
前記支管の他端部に前記小型マンホールを接続する際に、前記小型マンホールにおける点検口の中心軸線を、前記下水本管における前記中心軸線を基準にして、前記枝管側に配した位置で当該支管と当該小型マンホールとを接続状態とする
請求項７に記載の排水配管方法。
【発明の詳細な説明】
【技術分野】
【０００１】
本発明は、予め地中に埋設されている下水本管に、点検口を有する小型マンホールが配設されてなる排水配管構造、及びその排水配管方法に関する。
【背景技術】
【０００２】
従来、予め地中に埋設されている下水本管に、マンホールを新規に配設する際には、下水本管を切断し、その切断箇所にマンホールを配置していた（例えば、特許文献１参照）。
【先行技術文献】
【特許文献】
【０００３】
【特許文献１】特開２０１７−８９３０８号公報
【発明の概要】
【発明が解決しようとする課題】
【０００４】
しかしながら、下水本管の所要部を切断して分断した箇所にマンホールを介在させる手法であると、介在させる箇所の周囲を広くかつ深く掘削する必要があり、埋め戻しの作業も含めると全体として施工期間が長くなってしまう問題がある。また、掘削量が多くなると、施工後の地盤沈下のおそれが生じるため、掘削量はできる限り少なくしたいという強い要請がある。
【０００５】
ここで、既存の下水本管には、排水が自然に流下して排出可能となるように一定の勾配が設けられているが、施工後の地盤沈下によって、上記勾配が変化し、排水の詰まりの原因になってしまうおそれがある。 
【０００６】
また、上記のような従来構成では、分断した箇所がいわゆる地獄配管となってしまい、接続作業が極めて煩雑となる問題もある。
【０００７】
そこで本発明は、下水本管に対して小型マンホールを簡便に配設できる排水配管構造、及びその排水配管方法を提供することを目的とする。
【課題を解決するための手段】
【０００８】
本発明は、予め地中に埋設されている下水本管に、点検口を有する小型マンホールが配設されてなる排水配管構造であって、前記下水本管と、前記下水本管の管壁に貫通状に設けられた孔部に一端部が取り付けられている支管と、前記支管の他端部から地上に向かって延設されている前記小型マンホールと、を具備し、前記支管は、前記下水本管における前記孔部周辺の外周面上に被着される前記一端部としてのサドル部を備え、前記サドル部には前記孔部と連通する開口部が設けられており、前記開口部の周縁からは、前記小型マンホールの下端部を接続するための前記他端部としての管接続部が差し出されていることを特徴とする排水配管構造である。
【０００９】
かかる構成にあっては、前記下水本管を分断することなく簡便に当該下水本管に小型マンホールを新規に後付けで配設することができる。具体的には、下水本管を切断する大掛かりな作業が不要となって前記孔部を設ける作業で足りることになるため、全体として掘削量が大幅に少なくなる。また、前記孔部に前記支管を接続した構成であるため、いわゆる地獄配管の問題も生じない。また、下水本管を分断することがないため、下水本管に逆勾配が生じることもない。
【００１０】
また、平面視で、前記下水本管の前記孔部の孔縁の少なくとも一部が、前記小型マンホールの点検口内に位置している構成が提案される。
【００１１】
かかる構成とすることにより、前記小型マンホールの点検口から前記下水本管内が直視可能となり、下水本管の点検作業を容易かつ確実に実行することができる。
【００１２】
さらに、前記下水本管の前記孔部の位置における当該下水本管の中心軸線と、前記小型マンホールの点検口における中心軸線とが交わらない位置関係にある構成が提案される。
【００１３】
かかる構成とすることにより、前記下水本管周辺に埋設されている他の埋設管等と干渉することなく小型マンホールを当該下水本管に対して偏芯させた配置で後付けすることが可能となる。
【００１４】
またさらに、前記小型マンホールには、当該小型マンホール内へ排水を導入する枝管が接続されている構成にあって、前記小型マンホールにおける点検口の中心軸線が、前記下水本管における前記中心軸線を基準にして、前記枝管側に位置している構成が提案される。
【００１５】
かかる構成とすることにより、前記枝管を新規に埋設する際の地面の掘削範囲と、前記小型マンホールを新規に埋設する際の地面の掘削範囲とが部分的に共通することとなる。このため、全体として地面の掘削量が飛躍的に低減できる。
【００１６】
さらに本発明は、予め地中に埋設されている下水本管に対して、点検口を有する小型マンホールを新規に配設する排水配管方法であって、前記下水本管の管壁に孔部を貫通状に設ける工程と、前記孔部に支管の一端部を取り付ける工程と、前記支管の他端部に、地上に向かって延設されるように前記小型マンホールを接続する工程と、を含み、前記支管は、前記下水本管における前記孔部周辺の外周面上に被着される前記一端部としてのサドル部を備え、前記サドル部には前記孔部と連通する開口部が設けられており、前記開口部の周縁からは、前記小型マンホールの下端部を接続するための前記他端部としての管接続部が差し出されていることを特徴とする排水配管方法である。
【００１７】
かかる構成にあっては、前記下水本管を分断することなく簡便に当該下水本管に小型マンホールを新規に後付けで配設することができる。具体的には、下水本管を切断する大掛かりな作業が不要となって前記孔部を設ける作業で足りることになるため、全体として掘削量が大幅に少なくなる。また、前記孔部に前記支管を接続する構成であるため、いわゆる地獄配管の問題も生じない。また、下水本管を分断することがないため、下水本管に逆勾配が生じることもない。
【００１８】
また、平面視で、前記下水本管の前記孔部の孔縁の少なくとも一部を、前記小型マンホールの点検口内に位置させる構成が提案される。
【００１９】
かかる構成とすることにより、前記小型マンホールの点検口から前記下水本管内が直視可能となり、下水本管の点検作業を容易かつ確実に実行することができる。
【００２０】
さらに、前記支管の他端部に、前記小型マンホールを接続する工程にあって、前記下水本管の前記孔部の位置における当該下水本管の中心軸線と、前記小型マンホールの点検口における中心軸線とが交わらない位置関係となるように前記小型マンホールを接続する構成が提案される。
【００２１】
かかる構成とすることにより、前記下水本管周辺に埋設されている他の埋設管等と干渉することなく小型マンホールを当該下水本管に対して偏芯させた配置で後付けすることが可能となる。
【００２２】
またさらに、小型マンホール内へ排水を導入する枝管を当該小型マンホールに接続する工程を含む構成にあって、前記支管の他端部に前記小型マンホールを接続する際に、前記小型マンホールにおける点検口の中心軸線を、前記下水本管における前記中心軸線を基準にして、前記枝管側に配した位置で当該支管と当該小型マンホールとを接続状態とする構成が提案される。
【００２３】
かかる構成とすることにより、前記枝管を新規に埋設する際の地面の掘削範囲と、前記小型マンホールを新規に埋設する際の地面の掘削範囲とが部分的に共通することとなる。このため、全体として地面の掘削量が飛躍的に低減できる。
【発明の効果】
【００２４】
本発明の排水配管構造は、下水本管に対して小型マンホールを接続した配管構造を簡便に構築できる効果がある。
【００２５】
また本発明の排水配管方法も、下水本管に対して小型マンホールを簡便に配設できる効果がある。
【図面の簡単な説明】
【００２６】
【図１】実施例１に係る排水配管構造を示し、（ａ）は蓋体を外した状態の平面図であり、（ｂ）は蓋体を取り付けた状態の縦断面図である。
【図２】実施例１に係る排水配管構造を構築する手順を示し、（ａ）は孔部を設けた下水本管の平面図であり、（ｂ）は拡大縦断面図である。
【図３】実施例１に係る排水配管構造を構築する手順を示し、（ａ）は下水本管に支管を接続した状態を示す平面図であり、（ｂ）は拡大縦断面図である。
【図４】実施例１に係る排水配管構造を構築する手順を示し、（ａ）は本体部を接続した状態を示す縦断面図であり、（ｂ）はさらに直管部を接続した状態を示す縦断面図である。
【図５】実施例２に係る排水配管構造を示し、（ａ）は平面図であり、（ｂ）は縦断面図である。
【図６】実施例３に係る排水配管構造を示し、（ａ）は平面図であり、（ｂ）は縦断面図である。
【発明を実施するための形態】
【００２７】
本発明の排水配管構造に係る実施例を詳細に説明する。なお、本発明は、下記に示す実施例に限定されることはなく、適宜設計変更が可能である。
【００２８】
〔実施例１〕
まず、排水配管構造１の概要を図１に従って説明する。排水配管構造１は、下水本管１０と、下水本管１０に接続された支管２０と、支管２０に接続された小型マンホール３０と、小型マンホール３０に接続された枝管４０と、を備えている。
【００２９】
ここで、例えば下水本管１０は、予め地中に埋設された既存のものであって、小型マンホール３０の接続箇所となる下水本管１０の上端部における管壁には、円形の孔部１１が貫通状に新たに設けられている。
【００３０】
さらに、前記の孔部１１には、支管２０の一端部が取り付けられている。詳述すると、支管２０の一端部は、鞍形状のサドル部２１で構成されており、当該サドル部２１が下水本管１０の孔部１１周辺の外周面に接着剤等を介して被着されている。
【００３１】
また、サドル部２１の中央には、孔部１１と連通する開口部２２が設けられている。さらに、開口部２２の周縁からは、直管形状の管接続部２３が差し出されている。なお、かかる管接続部２３により、支管２０の他端部が構成されている。
【００３２】
そして、支管２０の他端部である管接続部２３には、小型マンホール３０の下端が取り付けられている。かかる構成により、小型マンホール３０は、管接続部２３から地上に向かって延設されている。
【００３３】
また、小型マンホール３０は、支管２０の管接続部２３に直接接続される本体部  ３１と、本体部３１から上方向に延設された直管部３２と、直管部３２の上端に形成された点検口３３を閉塞する蓋体（防護蓋）３４と、を備えている。
【００３４】
なお、本体部３１は、支管２０の管接続部２３に接続される流出口部３１１と、直管部３２が接続される上端開口部３１２とを備えている。さらに、本体部３１の側壁には、枝管接続口部３５が設けられており、枝管接続口部３５に、小型マンホール３０内へ排水を導入するための枝管４０の下流端部が接続されている。
【００３５】
上述の排水配管構造１にあっては、既存の下水本管１０を下水が流れると共に、枝管４０を流れる排水が小型マンホール３０を経由して当該下水本管１０に合流可能となっている。また、小型マンホール３０の点検口３３から下水本管１０等の点検を行うことが可能となっている。
【００３６】
次に、本実施例の排水配管構造１を構築する工程を順に説明する。具体的には、既存の下水本管１０に対して新規に小型マンホール３０を接続すると共に新たに枝管４０の排水を下水本管１０に合流させる排水配管方法を説明する。
【００３７】
まず、図２（ａ），（ｂ）に示すように、地中に埋設されている下水本管１０の接続予定箇所を露出させるべく地面を掘削し、露出した下水本管１０の上部に孔部１１を貫通状に穿孔する。
【００３８】
次いで、図３に示すように、下水本管１０に穿孔した孔部１１周辺の外周面をサドル部２１で被覆するように、当該孔部１１に支管２０を接続する。このとき、孔部１１と、支管２０の開口部２２とが連通すると共に、支管２０の管接続部２３が上向きに開口した状態となる。
【００３９】
さらに、図４（ａ）に示すように、管接続部２３に小型マンホール３０における本体部３１の流出口部３１１を接続する。また、これと共に、本体部３１の枝管接続口部３５に枝管４０の下流端部を接続する。
【００４０】
そして、図４（ｂ）に示すように、本体部３１の上端開口部３１２に直管部３２を接続する。なお、直管部３２の全長は、点検口３３が地表面の高さとなるように適宜調節される。そして、点検口３３に蓋体３４を取り付けて点検口３３を閉塞した状態とする。
【００４１】
上述した排水配管構造１を構築する排水配管方法にあっては、下水本管１０を左右に分断することなく簡便に小型マンホール３０を新規に後付けすることができる。すなわち、下水本管１０を切断する大掛かりな作業が不要となって孔部１１を設ける作業で足りるため、全体として掘削量が大幅に減少する。また、孔部１１に支管２０を接続する構成であるため、下水本管１０がいわゆる地獄配管となることもない。また、分断した下水本管１０に新しい管材を連結することがないため、新たな排水経路に逆勾配が生じることもない。
【００４２】
なお、実施例１の構成は、孔部１１の直上に点検口３３が配置される構成であって、孔部１１の孔縁の少なくとも一部が当該点検口３３内に位置している。このため、当該点検口３３から下水本管１０内が直視可能となり、下水本管１０の点検作業が容易かつ確実に行える。
【００４３】
〔実施例２〕
以下に実施例２の排水配管構造２について図５に従って説明する。なお、実施例１と同様の構成を有するものは同じ符号を付して説明を省略する。
【００４４】
図５に示すように、排水配管構造２は、下水本管１０と、下水本管１０に接続された支管５０と、支管５０に接続された小型マンホール３０と、小型マンホール３０に接続された枝管４０と、を備えている。
【００４５】
ここで、下水本管１０の上部における管壁には、円形の孔部１２が貫通状に新たに設けられている。ここで、孔部１２は、下水本管１０の上端部（頂部）を中心として設けられているのではなく、上端部（頂部）よりも低い位置に中心を位置させて設けられている。換言すれば、下水本管１０の中心軸線ＣＬ１を基準として斜め上方位置に孔部１２が位置している。
【００４６】
そして、孔部１２には、支管５０の一端部が取り付けられている。詳述すると、支管５０の一端部としてのサドル部５１が、孔部１２周辺の外周面に被着しており、サドル部５１に設けられた開口部５２と下水本管１０の孔部１２とが連通している。そして、開口部２２の周縁からは、他端部としての管接続部５３が斜め上方に向けて差し出されており、当該管接続部５３が屈曲管で構成されることで管接続部５３の上流側開口部５３１が鉛直上方に向けて開口している。
【００４７】
さらに、支管５０の管接続部５３には、小型マンホール３０の下端が取り付けられている。なお、小型マンホール３０及び枝管４０の構成は、実施例１と同様である。
【００４８】
次に、排水配管構造２を構築する排水配管方法を説明する。
【００４９】
まず、地中に埋設されている下水本管１０の接続箇所を露出させるべく地面を掘削し、露出した下水本管１０に孔部１２を貫通状に穿孔する。なお、具体的に孔部１２は、下水本管１０の上部のうち、後述する枝管４０が配設される側に穿孔する。
【００５０】
次いで、孔部１２に支管５０を接続する。さらに、支管５０の管接続部５３に小型マンホール３０の本体部３１を接続すると共に、本体部３１の枝管接続口部３５に枝管４０の下流端部を接続する。
【００５１】
このとき、図５（ａ）に示すように、平面視で、下水本管１０の孔部１２の孔縁の一部が、小型マンホール３０の点検口３３内に位置した状態となる。かかる構成とすることにより、小型マンホール３０の点検口３３から、下水本管１０の内部を直視することができ、下水本管１０の点検作業が非常に容易となる。
【００５２】
また、排水配管構造２は、下水本管１０の孔部１２の位置における下水本管１０の中心軸線ＣＬ１と、小型マンホール３０の点検口３３における中心軸線ＣＬ２とが交わらない位置関係となっている。このように、中心軸線ＣＬ１，ＣＬ２を互いに交わらない位置関係として、下水本管１０に対して小型マンホール３０を偏芯させることにより、例えば下水本管１０周辺に埋設されている他の埋設管４５を避けて小型マンホール３０を新規に後付けすることができる。
【００５３】
またさらに、排水配管構造２は、小型マンホール３０における点検口３３の中心軸線ＣＬ２が、下水本管１０の中心軸線ＣＬ１を基準にして、枝管４０側に位置している。かかる構成にあっては、枝管４０を新規に埋設する際の地面の掘削範囲と、小型マンホール３０を新規に埋設する際の地面の掘削範囲とが部分的に共通することとなり、全体として掘削量を飛躍的に少なくすることができる。
【００５４】
〔実施例３〕
以下に実施例３の排水配管構造３について図６に従って説明する。なお、実施例１，２と同様の構成を有するものは同じ符号を付して説明を省略する。
【００５５】
図６に示すように、排水配管構造３は、下水本管１０と、下水本管１０に接続された支管６０と、支管６０に接続された小型マンホール７０と、小型マンホール７０に接続された枝管４０と、を備えている。
【００５６】
ここで、下水本管１０に設けられた孔部１２には、支管６０の一端部としてのサドル部６１が孔部１２周辺の外周面に被着している。また、支管６０に設けられた開口部６２の周縁から差し出されている管接続部６３は、屈曲管で構成されており、管接続部６３の上流側開口部６３１が真横に向けて開口している。
【００５７】
また、管接続部６３には、小型マンホール７０の下端が取り付けられている。すなわち、管接続部６３から地上に向かって小型マンホール７０が延設されている。
【００５８】
さらに詳述すると、小型マンホール７０は、支管６０の管接続部６３に接続される本体部７１と、本体部７１から上方向に伸び、上端が地面に開口して点検口７３とされている直管部７２と、点検口７３を閉塞する蓋体７４と、を備えている。なお、本体部７１には、勾配付きの内底面を有するます部材が好適に用いられる。
【００５９】
加えて、直管部７２の側壁には、小型マンホール７０内へ排水を導入する枝管４０の下流端部が接続される枝管接続口部７５が設けられている。
【００６０】
かかる排水配管構造３にあっては、下水本管１０の孔部１２の位置における下水本管１０の中心軸線ＣＬ１と、小型マンホール７０の点検口７３における中心軸線ＣＬ３とが交わらない位置関係にあるため、例えば他の埋設管４５を避けて小型マンホール７０を新規に後付けすることができる。
【００６１】
また排水配管構造３にあっても、小型マンホール７０における点検口７３の中心軸線ＣＬ３が、下水本管１０の中心軸線ＣＬ１を基準にして、枝管４０側に位置している。このため、全体として掘削量を飛躍的に少なくすることができる。
【００６２】
これまでに述べた実施例において、各部の寸法形状は適宜自由に選択可能である。
【００６３】
また、小型マンホール３０，７０に排水を導入する枝管４０は、当該枝管４０の中心軸線が下水本管１０の中心軸線に対して垂直となるように施工されることが望ましい。また、小型マンホール３０，７０に接続される枝管４０は、単数に限定されず、複数であってもよい。また、枝管４０は小型マンホール３０，７０に必ずしも接続されている必要はない。
【００６４】
また、排水配管構造１，２，３を構築するにあたり、適宜、中間部材を所要の排水経路に介在させても勿論よい。また、例えば支管２０，５０，６０と本体部３１，７１との間に排水の漏出を防ぐゴム輪を配設するようにしてもよい。
【００６５】
また、排水配管構造１，２，３を構築する手順において、他の工程が含まれていても勿論よい。
【符号の説明】
【００６６】
１，２，３            排水配管構造
１０                  下水本管
１１，１２            孔部
２０，５０，６０      支管
２２，５２，６２      開口部
２３，５３，６３      管接続部
３０，７０            小型マンホール
３１，７１            本体部
３３，７３            点検口
３４，７４            蓋体
３５，７５            枝管接続口部
４０                  枝管
ＣＬ１                下水本管の中心軸線
ＣＬ２                点検口の中心軸線
ＣＬ３                点検口の中心軸線
【図１】
2019099994.tif 000003
【図２】
2019099994.tif 000004
【図３】
2019099994.tif 000005
【図４】
2019099994.tif 000006
【図５】
2019099994.tif 000007
【図６】
2019099994.tif 000008